(57)【要約】【課題】他の電話番号の通話先に通話が接続された場合でも、電話番号をリダイアルバッファに記録する。【解決手段】公衆電話回線を介して通話先へ接続するための電話番号へ発呼する発呼部１２と、通話先へ回線接続し通信を行う通信部１４と、電話番号を記録する記憶部３０とを備えた発信側電話機１０であって、通話先の電話番号を検出する音声認識部２０と、ユーザからの問い合わせに対応する電話番号を提示する電話番号案内サービスのサービスセンター５０を介して通話先へ接続する仲介接続を検出する自動接続認識部１８と、仲介接続が検出された際に、音声認識部２０によって検出された通話先電話番号を記憶部３０に記録する番号記録部２２を備えている。【選択図】図１
2009152870.tif 000002
【特許請求の範囲】
【請求項１】
過去に発呼した電話番号に再び発呼を行う際に利用するリダイアルバッファを備えた通信装置であって、
自装置からの問い合わせに対して電話番号案内サービスのサービスセンターが提示した電話番号を検出する通話先番号検出手段と、
前記電話番号を提示した前記サービスセンターを介して行われた、当該電話番号の通話先への接続である仲介接続を検出する仲介接続検出手段と、
前記仲介接続検出手段によって仲介接続が検出された際、前記通話先番号検出手段によって検出された電話番号を、前記リダイアルバッファに記録する通話先番号記録手段とを備えることを特徴とする通信装置。
【請求項２】
前記通話先番号検出手段は、前記サービスセンターからのガイダンスの音声を音声認識することによって、前記通話先の電話番号を検出することを特徴とする請求項１に記載の通信装置。
【請求項３】
前記通話先番号検出手段は、前記仲介接続検出手段によって前記仲介接続を検出した際に音声認識を開始することを特徴とする請求項２に記載の通信装置。
【請求項４】
前記通話先の電話番号の問い合わせる音声、または、前記サービスセンターからのガイダンスの音声を音声認識することによって、前記通話先の名称を検出する通話先名称検出手段をさらに備えることを特徴とする請求項２または３に記載の通信装置。
【請求項５】
前記通話先番号検出手段および前記通話先名称検出手段の少なくともいずれか一方によって音声認識された内容をユーザに提示して確認を求める認識内容確認手段をさらに備えることを特徴とする請求項２から４のいずれか１項に記載の通信装置。
【請求項６】
前記通話先の電話番号と、当該通話先の名称を対応付けて電話帳データベースに記録する電話帳編集手段をさらに備えることを特徴とする請求項４または５に記載の通信装置。
【請求項７】
前記通話先番号検出手段は、前記サービスセンターからのトーン信号、または、Ｖ２３信号を認識することによって、前記通話先の電話番号を検出することを特徴とする請求項１に記載の通信装置。
【請求項８】
ユーザによる操作入力を受けつける操作手段をさらに備え、
前記仲介接続検出手段は、前記サービスセンターに対して仲介接続を要求するユーザによる操作入力を前記操作手段が受けつけた場合に、前記通話先へ仲介接続されたと検出することを特徴とする請求項１に記載の通信装置。
【請求項９】
前記電話番号を前記リダイアルバッファに記録する際、当該電話番号の問い合わせのために前記サービスセンターへ発呼した時に電話番号の前に付加したプレフィックス番号を、前記電話番号の前に付加して記録する付加番号記録手段をさらに備えることを特徴とする請求項１から８のいずれか１項に記載の通信装置。
【請求項１０】
前記電話番号を前記リダイアルバッファに記録する際に、前記サービスセンターから仲介接続されたことを示す識別子を付加して記録する接続方法付加手段をさらに備えることを特徴とする請求項１から９のいずれか１項に記載の通信装置。
【請求項１１】
前記サービスセンターから仲介接続された回数および前記サービスセンターから仲介接続された通話先との接続時間の少なくとも一方を記憶部に記録する仲介接続情報記録手段をさらに備えることを特徴とする請求項１から１０のいずれか１項に記載の通信装置。
【請求項１２】
過去に発呼した電話番号に再び発呼を行う際に利用するリダイアルバッファを備えた通信装置の通信方法であって、
自装置からの問い合わせに対して電話番号案内サービスのサービスセンターが提示した電話番号を検出する通話先番号検出ステップと、
前記電話番号を提示した前記サービスセンターを介して行われた、当該電話番号の通話先への接続である仲介接続を検出する仲介接続検出ステップと、
前記仲介接続検出ステップにて仲介接続を検出した際、前記通話先番号検出ステップにて検出した電話番号を、前記リダイアルバッファに記録する通話先番号記録ステップとを含むことを特徴とする通信方法。
【請求項１３】
請求項１から１１のいずれか１項に記載の通信装置を動作させるためのプログラムであって、コンピュータを上記の各手段として機能させるためのプログラム。
【請求項１４】
請求項１３に記載のプログラムが記録されたコンピュータ読み取り可能な記録媒体。
【発明の詳細な説明】
【技術分野】
【０００１】
本発明は、電話番号案内サービスによって提示された接続先の電話番号を保存する通信装置、通信方法、プログラム、および記録媒体に関する。
【背景技術】
【０００２】
従来、公衆電話回線において、ユーザからの電話番号の問合せにセンターが答える電話番号案内サービスが広く使われている。電話番号案内サービスでは、各種電話回線業者の運営する所定のセンターに対してダイアルすることで、オペレータまたは機械による自動応答などの対応によって、ユーザが調査したい電話先を知ることができる。
【０００３】
このような電話番号案内サービスにおいて、センターから伝えられた電話番号をユーザが記録する際、聞き間違えたり、間違って記録したりするミスが発生する場合がある。
【０００４】
そこで、上記の問題を解決するものとして、特許文献１には、電話番号案内サービスのガイダンスを音声認識し、音声認識した電話番号に対して発呼する電話機が記載されている。
【０００５】
また、特許文献２および３には、電話番号案内サービスのガイダンスを音声認識し、電話帳に登録し、登録した電話番号に対して発呼する電話機が記載されている。
【０００６】
さらに、特許文献４には、電話で注文してきた注文者の音声を一旦録音し、オフラインにて音声認識を行い、注文者の住所や氏名を認識し、データファイルを作成する電話注文受けシステムが記載されている。この電話注文受けシステムでは、電話番号をリアルタイムで認識し、電話番号のファイル名を付けたファイルに通話内容を一旦録音し、後ほど再生する際に住所や氏名などの情報を音声認識する。
【特許文献１】特開平０２−１４３６６９号公報（１９９０年０６月０１日公開）
【特許文献２】特開平０９−０１８９０９号公報（１９９７年０１月１７日公開）
【特許文献３】特開２００２−３５９６６９号公報（２００５年０９月０２日公開）
【特許文献４】特開平１０−０７０６１３号公報（１９９８年０３月１０日公開）
【発明の開示】
【発明が解決しようとする課題】
【０００７】
しかしながら、上記従来の構成では、電話番号案内サービスから直接、問い合わせを行った通話先に接続するサービスを利用した場合には、直前の発呼先として電話番号案内サービスの電話番号が記録され、問い合わせを行った通話先の電話番号が記録できないという問題を生じる。
【０００８】
本発明は、上記の問題点に鑑みてなされたものであり、その目的は、問い合わせた電話番号に電話番号案内サービスから直接接続された場合であっても、問い合わせた電話番号をリダイアルバッファに記録することができる通信装置、通信方法、プログラム、および記録媒体を実現することにある。
【課題を解決するための手段】
【０００９】
上記の問題を解決するために、本発明の通信装置は、過去に発呼した電話番号に再び発呼を行う際に利用するリダイアルバッファを備えた通信装置であって、自装置からの問い合わせに対して電話番号案内サービスのサービスセンターが提示した電話番号を検出する通話先番号検出手段と、前記電話番号を提示した前記サービスセンターを介して行われた、当該電話番号の通話先への接続である仲介接続を検出する仲介接続検出手段と、前記仲介接続検出手段によって仲介接続が検出された際、前記通話先番号検出手段によって検出された電話番号を前記リダイアルバッファに記録する通話先番号記録手段とを備えることを特徴としている。
【００１０】
また、本発明の通信方法は、過去に発呼した電話番号に再び発呼を行う際に利用するリダイアルバッファを備えた通信装置の通信方法であって、自装置からの問い合わせに対して電話番号案内サービスのサービスセンターが提示した電話番号を検出する通話先番号検出ステップと、前記電話番号を提示した前記サービスセンターを介して行われた、当該電話番号の通話先への接続である仲介接続を検出する仲介接続検出ステップと、前記仲介接続検出ステップにて仲介接続を検出した際、前記通話先番号検出ステップにて検出した電話番号を、前記リダイアルバッファに記録する通話先番号記録ステップとを含むことを特徴としている。
【００１１】
上記の構成によれば、通話先の電話番号を検出し、電話番号案内サービスを利用した仲介接続を検出し、仲介接続が行われた場合に、検出した電話番号を記憶するので、電話番号案内サービスのサービスセンターから、他の電話番号の通話先に通話が接続された場合であっても電話番号をリダイアルバッファに記録することができる。
【００１２】
さらに、上記の通信装置では、前記通話先番号検出手段は、前記サービスセンターからのガイダンスの音声を音声認識することによって、前記通話先の電話番号を検出することが好ましい。
【００１３】
上記の構成によれば、さらに、ガイダンスの音声を声認識することによって電話番号が検出できるので、サービスセンターからの案内が音声であっても、データ化してリダイアルバッファに記録することができる。
【００１４】
さらに、上記の通信装置では、前記通話先番号検出手段は、前記仲介接続検出手段によって前記仲介接続を検出した際に音声認識を開始することが好ましい。
【００１５】
上記の構成によれば、さらに、前記仲介接続を検出したことをトリガーに音声認識を開始するので、仲介接続された通話先の電話番号をユーザが確認する必要がある場合にも、リダイアルバッファに保存された電話番号を素早く提示することができる。
【００１６】
さらに、上記の通信装置では、前記通話先の電話番号の問い合わせる音声、または、前記サービスセンターからのガイダンスの音声を音声認識することによって、前記通話先の名称を検出する通話先名称検出手段をさらに備えることが好ましい。
【００１７】
上記の構成によれば、さらに、通話先の名称を音声認識によって検出することができるので、通話先の名称をユーザに提示することができるとともに、通話先電話番号と対応づけて記録することも可能となる。
【００１８】
さらに、上記の通信装置では、前記通話先番号検出手段および前記通話先名称検出手段の少なくともいずれか一方によって音声認識された内容をユーザに提示して確認を求める認識内容確認手段をさらに備えることが好ましい。
【００１９】
上記の構成によれば、さらに、音声認識を行った内容の正否についてユーザに問い合わせるので、音声認識の結果の正確さを確認した上で記録することができる。
【００２０】
さらに、上記の通信装置では、前記通話先の電話番号と、当該通話先の名称を対応付けて電話帳データベースに記録する電話帳編集手段をさらに備えることが好ましい。
【００２１】
上記の構成によれば、さらに、電話帳データベースへの入力を音声認識の結果に基づいて行うことができるので、ユーザによる入力操作の手間を簡略化することができる。
【００２２】
さらに、上記の通信装置では、前記通話先番号検出手段は、前記サービスセンターからのトーン信号、または、Ｖ２３信号を認識することによって、前記通話先の電話番号を検出することが好ましい。
【００２３】
上記の構成によれば、さらに、トーン信号またはＶ２３信号を認識することで、接続先の電話番号を検出することができるので、サービスセンターから通知された電話番号を誤認識する可能性を低減することができる。
【００２４】
さらに、上記の通信装置では、ユーザによる操作入力を受けつける操作手段をさらに備え、前記仲介接続検出手段は、前記サービスセンターに対して仲介接続を要求するユーザによる操作入力を前記操作手段が受けつけた場合に、前記通話先へ仲介接続されたと検出することが好ましい。
【００２５】
上記の構成によれば、さらに、ユーザの操作入力に基づいて仲介接続を検出するので、ユーザによる仲介接続の意思を通信装置において正確に検出することができる。
【００２６】
さらに、上記の通信装置では、前記電話番号を前記リダイアルバッファに記録する際、当該電話番号の問い合わせのために前記サービスセンターへ発呼した時に電話番号の前に付加したプレフィックス番号を、前記電話番号の前に付加して記録する付加番号記録手段をさらに備えることが好ましい。
【００２７】
上記の構成によれば、さらに、電話番号案内サービスのサービスセンターに接続する際に、仲介接続された通話先との通話で利用したい機能やサービスを指定するプレフィックス番号、例えば、“１８４”、“１８６”、“００ｘｘ“を、サービスセンターの電話番号の前に付加する場合、この付加したプレフィックス番号を通話先の電話番号の前に付加してリダイアルバッファに記録する。よって、リダイアルバッファには、ユーザが所望する機能やサービスの利用を指定した形式で電話番号を記録することができるため、リダイアルの際にそれらのプレフィックス番号を改めて付加する必要がなく、ユーザの操作を簡略化できる。
【００２８】
さらに、上記の通信装置では、前記電話番号を前記リダイアルバッファに記録する際に、前記サービスセンターから仲介接続されたことを示す識別子を付加して記録する接続方法付加手段をさらに備えることが好ましい。
【００２９】
上記の構成によれば、さらに、サービスセンター経由で接続した電話番号に識別子を付加するので、サービスセンター経由で接続したことをユーザが容易に確認できる。
【００３０】
さらに、上記の通信装置では、前記サービスセンターから仲介接続された回数および前記サービスセンターから仲介接続された通話先との接続時間の少なくとも一方を記憶部に記録する仲介接続情報記録手段をさらに備えることが好ましい。
【００３１】
上記の構成によれば、さらに、サービスセンター経由で接続した回数および／または時間を記録しているので、サービスセンターの利用状況、例えば、サービスの使用料金などの概略をユーザが容易に把握することができる。
【００３２】
なお、上記通信装置は、コンピュータによって実現してもよく、この場合には、コンピュータを上記各手段として動作させることにより上記通信装置をコンピュータにて実現させる通信装置の制御プログラム、およびそれを記録したコンピュータ読み取り可能な記録媒体も、本発明の範疇に入る。
【発明の効果】
【００３３】
本発明の通信装置は、自装置からの問い合わせに対して電話番号案内サービスのサービスセンターが提示した電話番号を検出する通話先番号検出手段と、前記電話番号を提示した前記サービスセンターを介して行われた、当該電話番号の通話先への接続である仲介接続を検出する仲介接続検出手段と、前記仲介接続検出手段によって仲介接続が検出された際、前記通話先番号検出手段によって検出された電話番号を前記リダイアルバッファに記録する通話先番号記録手段とを備える構成である。
【００３４】
また、本発明の通信方法は、自装置からの問い合わせに対して電話番号案内サービスのサービスセンターが提示した電話番号を検出する通話先番号検出ステップと、前記電話番号を提示した前記サービスセンターを介して行われた、当該電話番号の通話先への接続である仲介接続を検出する仲介接続検出ステップと、前記仲介接続検出ステップにて仲介接続を検出した際、前記通話先番号検出ステップにて検出した電話番号を、前記リダイアルバッファに記録する通話先番号記録ステップとを含む方法である。
【００３５】
それゆえ、電話番号案内サービスのサービスセンターから、他の電話番号の通話先に通話が接続された場合であっても電話番号をリダイアルバッファに記録することができるという効果を奏する。
【発明を実施するための最良の形態】
【００３６】
本発明の一実施形態について図１から図４に基づいて説明すると以下の通りである。
【００３７】
図１は、本実施形態に係る通信システム１の要部構成を示す機能ブロック図である。通信システム１は、発信側電話機（通信装置）１０、電話番号案内サービスのサービスセンター５０（以下、「センター５０」と略記する）、および着信側電話機６０を備えている。通信システム１では、発信側電話機１０、センター５０、着信側電話機６０が、公衆電話回線網を介して相互通信可能に接続されている。また、センター５０は、発信側電話機１０に対して電話番号案内サービスを提供するとともに、発信側電話機１０との接続を、案内する電話番号の電話機（着信側電話機６０）に直接接続（仲介接続）する機能を有する。
【００３８】
ここで、図２を参照して、通信システム１における、電話番号案内サービスを利用した電話番号案内および通信接続処理の手順について説明する。図２は、本実施形態の通信システム１で行われる、電話番号案内サービスを利用した接続処理の流れを示す模式図である。
【００３９】
最初に、発信側電話機１０のユーザは、センター５０の電話番号をダイアルし、電話番号の案内を受ける。この際、ユーザは電話を切らずに発信側電話機１０とセンター５０との通話接続を維持したまま、案内先の電話番号（すなわち、着信側電話機６０）へ接続することを希望する。
【００４０】
センター５０のオペレータは、発信側電話機１０のユーザの問い合わせ内容に応答して、着信側電話機６０の電話番号の検索を行う。検索した電話番号が見つかった場合、センター５０のオペレータは、機械による自動音声またはオペレータによる口頭によって、見つかった電話番号を発信側電話機１０のユーザに対して伝える。そして、このとき、センター５０のオペレータあるいは機械は、見つかった電話番号と併せて、このまま回線を切断せずに見つかった電話番号へ通話接続することができる旨を、ユーザに対して案内する。
【００４１】
具体的には、機械による自動音声で電話番号を回答する場合には、電話番号の案内と併せて、「検索した電話番号へ通話接続を希望する場合には、“１”と“＃”を押してください」などと案内し、特定のキー操作によってダイアルトーンを入力することで自動接続を決定させてもよい。そして、上記特定のキー操作が入力された場合には、検索した電話番号の着信側電話機６０（着信者）へ回線切断を行わずに直接接続する。
【００４２】
また、センター５０のオペレータにより口頭で電話番号を回答する場合には、オペレータは電話番号と併せて、「このまま回線を切断せずに検索した電話番号へ通話接続することができる」旨をユーザに対して案内する。そして、ユーザが回線接続を希望した場合には、オペレータがセンター５０のキー操作を行うことによって検索した通話先を呼び出し、着信側電話機６０（着信者）へ回線切断を行わずに直接接続する。
【００４３】
つづいて、図１を参照しながら、上記のような電話番号案内および通信接続処理を行うために各装置が備える構成について詳細に説明する。
【００４４】
発信側電話機１０は、発呼部（発呼手段）１２、通信部（通信手段）１４、通話状態検出部（仲介接続検出手段、通話先番号検出手段、録音手段）１６、自動接続認識部（仲介接続検出手段、仲介接続情報記録手段）１８、音声認識部（通話先番号検出手段、通話先名称検出手段）２０、番号記録部（通話先番号記録手段、付加番号記録手段、接続方法付加手段）２２、電話帳編集部（電話帳編集手段）２４、記憶部３０、音声入出力部（認識内容確認手段）４０、操作部（操作手段）４２、表示部（認識内容確認手段）４４を備えている。記憶部３０は、リダイアルバッファ３２および電話帳記憶部３４を備えている。
【００４５】
発呼部１２は、特定の電話番号にダイアルするための発呼信号を、ＤＴＭＦ（Dual Tone Multi Frequency）やＶ２３信号などを用いて、通信部１４に発信させる（発信指示）。また、発呼部１２は、リダイアルの際には、リダイアルバッファ３２に記録されている番号に従って発呼する。
【００４６】
通信部１４は、発呼部１２からの発信指示に基づいて公衆電話回線に接続し、発呼先との通信処理を行う。また、通信部１４は、センター５０や着信側電話機６０からの音声その他のデータの受信を行う。
【００４７】
通話状態検出部１６は、各種接続先との通信状態を検出する。具体的には、現在、センター５０を介して着信側電話機６０を呼び出し中であるか、センター５０に接続中であるのか、センター５０から発呼先に接続中であるのか、発呼先と接続状態にあるのか、といった各種接続先の状態を検出する。
【００４８】
自動接続認識部１８は、センター５０から、案内してもらった電話番号に対して、回線を切断せずに通話先（着信側電話機６０）に接続されたか否かを認識する。以下、このように、センター５０が発信側電話機１０との回線を切断せずに、着信側電話機６０に対して発呼して、発信側電話機１０と着信側電話機６０との回線を接続することを、「自動接続」と呼ぶ。
【００４９】
ここで、自動接続認識部１８は、自動接続（仲介接続）をリングバックトーン検出や極性反転などを検出することで認識してもよいし、発信側電話機１０のユーザが電話番号問合せの際に行ったキー操作やダイアル操作を検出することで認識してもよい。
【００５０】
音声認識部２０は、センター５０からの電話番号案内のアナウンス（ガイダンスの音声）や、ＤＴＭＦ、Ｖ２３信号、およびその他のデータ信号音から、案内された電話番号を認識する。なお、音声認識部２０は、電話番号の認識を、センター５０からのアナウンスやデータ信号音の発信音ではなく、録音した発信音の再生音声に対する音声認識によって行ってもよい。また、音声認識する対象は、電話番号だけでなく、名称（氏名）、住所、および、その他のデータであってもよい。
【００５１】
番号記録部２２は、音声認識部２０によって認識されたデータを、記憶部３０内の電話帳データベースに記録する。なお、認識したデータは、電話帳データベースとは別個に保存してもよいし、バッファなどの一時記憶に記録してもよい。
【００５２】
電話帳編集部２４は、記憶部３０に記憶されている電話帳データベースに対して、追加、修正、削除などデータ操作を行う。電話帳データベースとしては、名称（名前）、よみがな、電話番号、携帯番号など、発呼に関わる各種データが対応付けられて記録されている。なお、電話帳編集部２４は、入力用画面を表示部４４に表示し、操作部４２からのユーザ操作に従って電話帳データベースのデータ操作を行うインタフェース機能を持っていてもよい。
【００５３】
記憶部３０は、発信側電話機１０で用いる電話帳データベースや、リダイアルデータ、着信履歴情報などの各種データの保存を行い、リダイアルバッファ３２および電話帳記憶部３４を含んでいる。また、記憶部３０は、電話番号案内サービスのセンター５０へ問い合わせた回数や通話先に仲介接続された回数、通話時間、電話番号の前に付加したプレフィックス番号などの各種情報も記憶している。なお、電話番号案内サービスへ問い合わせた回数や仲介接続された回数は、電話番号案内サービスを提供しているサービスセンター５０毎（例えば、電話番号毎）にカウントして記録しておけば、費用の確認の際に便利である。
【００５４】
リダイアルバッファ３２は、発信側電話機１０のユーザが前回発信を行った電話番号を記憶するための記憶装置（メモリ）で、少なくとも最終の接続先の電話番号が記憶される。本実施の形態では、発信側電話機１０のリダイアルバッファ３２には、自動接続認識部１８が自動接続を認識した場合に、音声認識部２０によって認識された電話番号が最終の接続先として自動的に記録される。
【００５５】
電話帳記憶部３４は、電話帳編集部２４によって編集された電話帳データベースや、リダイアルバッファ３２に記憶されている電話番号の電話帳データベースへの転記を行う。なお、電話帳データベースの電話番号欄に最終接続先の電話番号を記録する際に、記憶部３０に記録されている音声データを再生し、音声認識部２０で解析することによって、解析した電話番号を発信先の電話番号として電話帳データベースに転記してもよい。
【００５６】
音声入出力部４０は、マイクおよびスピーカなどの音声入出力デバイスで構成され、センター５０や着信側電話機６０との通話における音声の入出力や、発信側電話機１０における各種アナウンスの音声出力に用いられる。操作部４２は、ボタン、スイッチ、ダイアル、レバー、キーボードなどからなる入力用デバイスである。なお、操作部４２をタッチパネルで構成し、表示部４４と兼用してもよい。
【００５７】
表示部４４は、発信側電話機１０における各種情報を表示する表示デバイスで、液晶パネルや発光ダイオードなどの表示デバイスで構成されている。表示部４４には、電話番号や電話帳データなどの各種情報が表示される。
【００５８】
また、センター５０は、番号案内部５２および番号接続部５４を備えている。番号案内部５２は、発信側電話機１０から問い合わせられた電話番号を検索し、発信側電話機１０に返答する端末としての機能を持つ。なお、検索は自動で行ってもよいし、オペレータが端末を用いて手動で行い、問い合わせに対して答えても良い。また、問い合わせられた電話番号の通知は、音声ガイダンスを用いて行ってもよいし、ＤＴＭＦ、Ｖ２３信号、およびその他のデータ信号音を用いて発信側電話機１０に通知してもよい。
【００５９】
番号接続部５４は、番号案内部５２によって電話番号を通知した後に、当該電話番号の着信側電話機６０と発信側電話機１０との接続を、発信側電話機１０との接続を切断しないままセンター５０から行う。
【００６０】
また、着信側電話機６０では、通信部６２を用いて、センター５０を介して接続された発信側電話機１０と回線接続を行い、発信側電話機１０のユーザとの通話を行う。なお、発信側電話機１０の通話状態検出部１６は、通信回線の状態を監視し、着信側電話機６０と回線接続が行われたか否かを判断する。
【００６１】
次に、図３を参照して、本実施形態における発信側電話機１０で行われる一連の処理の流れについて、概略を説明する。図３は、発信側電話機１０で行われる処理の流れを示すフローチャートである。
【００６２】
まず、Ｓ１０１において、発信側電話機１０において、発呼部１２が発呼し、通信部１４を介して電話番号案内サービスのサービスセンター５０を呼び出す。
【００６３】
なお、センター５０への発呼および接続は、ユーザが操作部４２を操作して所定の番号をダイアルすることで行ってもよいし、センター５０を呼び出す専用のボタンを操作部４２に備え、当該ボタンを押すことで発信側電話機１０が自動的にセンター５０にダイアルしてもよい。
【００６４】
次に、Ｓ１０２において、発呼部１２によってセンター５０が呼び出され、センター５０に回線が接続され、センター５０より電話番号案内のガイダンスが流れる。なお、センター５０よりのガイダンスは音声ガイダンスに限らず、データの送受信により、発信側電話機１０の表示部４４に選択肢を表示し、ユーザが操作部４２を用いて選択を行うことで電話番号案内を受けるといったサービスであってもよい。また、ガイダンスは、自動音声によるものでなく、センター５０のオペレータによる応答であってもよい。
【００６５】
次に、Ｓ１０３において、発信側電話機１０の通話状態検出部１６は、センター５０と回線が接続されたことを確認し、記憶部３０にセンター５０によるガイダンスの内容を記録する。ここでは、音声ガイダンスを音声データとして録音するものとするが、これに限るものではない。ＤＴＭＦやＶ２３信号などを記録してもよいし、データ通信を行うことで電話番号のデータをファイルとして記憶部３０に記録してもよい。
【００６６】
次に、Ｓ１０４において、音声認識部２０は、音声ガイダンスの内容を音声認識して電話番号を抽出し、一時記憶用メモリに保存する。この一時記憶した電話番号は、後にＳ１１１においてリダイアルバッファ３２に保存される。なお、音声認識する対象は電話番号に限らず、住所や氏名などの情報を音声認識し、電話帳データベースに記録するために文字列に変換して一時保存してもよい。
【００６７】
次に、Ｓ１０５において、自動接続認識部２０は、リングバックトーンや極性反転などを検出することによって、センター５０から、センター５０によって案内された通話先である着信側電話機６０に自動接続されたか否かを判断する。自動接続されたと判断した場合（Ｓ１０５でＹＥＳ）、処理はＳ１１０に進む。一方、自動接続されていないと判断した場合（Ｓ１０５でＮＯ）、処理はＳ１０６に進む。
【００６８】
次に、Ｓ１０６において、電話帳編集部２４は、電話帳編集を行うための電話帳編集用インタフェース画面を表示部４４に表示させる。このとき、Ｓ１０４で音声認識した住所や氏名などの文字列を、表示部４４の電話帳編集用インタフェース画面に転記してもよい。なお、電話帳編集用インタフェース画面を表示部４４に表示することなく、Ｓ１０４で音声認識した住所や氏名などの文字列を後で編集可能なように、電話帳データベースにとりあえず転記するようにしてもよい。
【００６９】
なお、本実施の形態では、電話帳編集画面を表示部４４に表示するものとして説明するが、これに限るものではない。音声ガイダンスを音声入出力部４０から出力してもよいし、図示しない印刷出力部を用いて電話帳編集の操作案内を印刷する構成であってもよい。
【００７０】
次に、Ｓ１０７において、発信側電話機１０は、Ｓ１０３において記憶部３０に録音したガイダンスの内容から、電話番号を通知された部分を、ユーザの電話番号入力操作の参考となるように再生する。
【００７１】
次に、Ｓ１０８において、電話帳編集部２４は、電話帳編集を終了して入力した電話番号などの電話帳の内容情報を、記憶部３０の電話帳データベースに保存する。
【００７２】
次に、Ｓ１０９において、発信側電話機１０は、Ｓ１０３の処理で記憶部３０に録音した録音データを消去し、一連の処理を終了する。このとき、録音データを消去するかどうかをユーザに選択させてもよい。
【００７３】
続いて、Ｓ１０５において、センター５０から自動接続されたと判断した場合（Ｓ１０５でＹＥＳ）の処理について説明する。
【００７４】
まず、Ｓ１１０において、番号記録部２２は、Ｓ１０４の処理で記憶部３０に一時記憶した電話番号を表示部４４に表示し、ユーザに対して認識した番号があっているか否かを確認させる。
【００７５】
次に、Ｓ１１１において、番号記録部２２は、Ｓ１１０の処理で行ったユーザに対する電話番号の確認によって正しいと確認された電話番号をリダイアルバッファ３２にコピーする。このとき、番号記録部２２は、センター５０へ発呼する際に、仲介接続された通話先との通話で利用したい機能やサービスを指定する番号、具体的には、電話番号通知のオンオフを設定する“１８４”、“１８６”等や、電話回線業者を選択するための“００ｘｘ”等のプレフィックス番号が、センター５０の電話番号の前に付加されていた場合、そのプレフィックス番号を、検出した通話先の電話番号の前に付加してリダイアルバッファ３２に記録する。
【００７６】
次に、Ｓ１１２において、電話帳編集部２４は、電話帳編集機能を起動して電話帳編集用インタフェース画面を表示部４４に表示させる。このとき、Ｓ１０４で音声認識した住所や氏名などの文字列を、表示部４４の電話帳編集用インタフェース画面に転記してもよい。なお、電話帳編集用インタフェース画面を表示部４４に表示することなく、Ｓ１０４で音声認識した住所や氏名などの文字列を後で編集可能なように、電話帳データベースにとりあえず転記するようにしてもよい。また、操作部４２による編集動作をユーザに対して促し、電話帳データベースを編集する処理を行ってもよい。また、リダイアルバッファ３２への記録と同様に、電話帳編集部２４は、センター５０へ発呼する際に付加されていたプレフィックス番号を、検出した通話先の電話番号の前に付加して電話帳データベースに記録してもよい。
【００７７】
なお、リダイアルバッファ３２および電話帳データベースに通話先電話番号を記録する際に、プレフィックス番号を付加するか否かは、例えばユーザの指示に従ってそれぞれ設定できる。
【００７８】
次に、Ｓ１１３において、通話状態検出部１６は、センター５０経由で接続した電話番号に識別子を付加する。具体例をあげれば、電話帳データベースに「問い合わせた電話番号」を示すアイコンや、文字列を追加することで、当該通話先がセンター５０経由で接続したことをユーザに識別可能に記録する。
【００７９】
最後に、Ｓ１１４において、回線を切断した後、センター５０経由で接続した回数および／または着信側電話機６０との接続時間を記憶部３０に記録して、全ての処理を終了する。
【００８０】
次に、図４を参照して、通信システム１における、発信側電話機１０およびセンター５０の間でやり取りされるデータの一例について説明する。図４は、発信側電話機１０およびセンター５０の間でやり取りされるデータを示す概略図である。
【００８１】
最初に、発信側端末（発信側電話機１０）から発呼先（センター５０、着信先電話機６０）に対してＳＥＴＵＰ信号、すなわち、呼設定メッセージが送信される。これは、発信側電話機１０からセンター５０への電話呼び出しに対応している。
【００８２】
次に、上記の呼び出しに呼応して、ＣＡＬＬＰＲＯＧ信号、すなわち、呼設定受付メッセージがセンター５０から発信側電話機１０に送信される。
【００８３】
その後、センター５０から発信側電話機１０に対してＰＲＯＧ信号、すなわち、経過メッセージが送信され、現在呼び出し中であることを発信側のユーザに伝えるための呼び出し音が出力される。
【００８４】
次に、センター５０が発信側電話機１０からの呼び出しに応答し、通話が開始される。ここで、発信側電話機１０のユーザは所望の発信先である着信側電話機６０を検索するための情報を口頭で伝え、センター５０のオペレータに検索してもらう。
【００８５】
次に、センター５０のオペレータは電話番号を検索し、該検索した電話番号の番号案内を行った後に、通話回線を切断せずに検索した電話番号（着信側電話機６０）に接続できるという内容の接続誘導ガイダンスを自動または口頭で行う。ここでは、機械音声による自動応答を例に説明する。
【００８６】
発信側電話機１０のユーザは接続誘導ガイダンスを聞き、発信側電話機１０の操作部４２を用いて接続意思を示す「１＃」というプッシュ操作を行う。なお、プッシュトーンではなくダイアルトーンであってもよいし、その他の操作、または、センター５０のオペレータあるいは音声認識装置への口頭での回答による接続意思表示であってもよい。
【００８７】
センター５０は、発信側電話機１０のユーザによる接続意思を確認し、着信側端末である着信側電話機６０の呼び出し操作を行う。このとき、発信側電話機１０では、呼び出し音が出力される。
【００８８】
その後、着信側電話機６０が応答し、発信側電話機１０と着信側電話機６０との間で通話が行われる。通話終了後、発信側電話機１０が受話器を下ろし、通話回線を切断する。このとき、発信側電話機１０から着信側電話機６０に対してＤＩＳＣ信号、すなわち、切断メッセージが送信される。
【００８９】
切断メッセージを受け取った着信側電話機６０は、ＲＥＬ信号、すなわち、開放メッセージを発信側電話機１０に送信し、これに対して発信側電話機１０は、ＲＥＬＣＯＭＰ信号、すなわち、開放完了メッセージを返信し、全ての通話接続を終了する。なお、着信側電話機６０が受話器を下ろした場合には、ＤＩＳＣ信号以降の信号を送信・受信する装置の関係が上記とは逆になる。
【００９０】
以上のように、本実施形態の発信側電話機１０は、公衆電話回線を介して通話先へ接続するための電話番号へ発呼する発呼部１２と、通話先へ回線接続し通信を行う通信部１４と、電話番号を記録する記憶部３０とを備えた発信側電話機１０であって、通話先の電話番号を検出する音声認識部２０と、ユーザからの問い合わせに対応する電話番号を提示する電話番号案内サービスのサービスセンター５０を介して通話先へ接続する仲介接続を検出する自動接続認識部１８と、仲介接続が検出された際に、音声認識部２０によって検出された通話先電話番号を記憶部３０に記録する番号記録部２２を備えている。
【００９１】
上記の構成によれば、通話先の着信側電話機６０の電話番号を検出し、センター５０による電話番号案内サービスを利用した仲介接続を検出し、仲介接続が行われた場合に、検出した電話番号を記憶部３０に記憶するので、センター５０から、他の電話番号の通話先に通話が接続された場合であっても、ユーザが所望する電話番号を記録することができる。
【００９２】
本実施形態の発信側電話機１０では、音声認識部２０は、前記センター５０からのガイダンスを音声認識することによって、前記通話先の着信側電話機６０の電話番号を検出している。
【００９３】
上記の構成によれば、センター５０によるガイダンスを音声認識することによって着信側電話機６０の電話番号が検出できるので、ユーザがセンター５０からのガイダンスを聞き取り、案内された電話番号を手動で記録したり、手動で入力したりする必要がなく、ユーザによる操作を簡易にすることができる。
【００９４】
本実施形態の発信側電話機１０では、音声認識部２０は、自動接続認識部１８によって前記仲介接続を検出した際に音声認識を開始している。
【００９５】
上記の構成によれば、前記仲介接続を検出したことをトリガーに音声認識を開始するので、仲介接続した通話先の電話番号が必要になった場合に、記憶部３０に保存された電話番号を素早く参照することができる。
【００９６】
本実施形態の発信側電話機１０では、前記通話先の着信側電話機６０電話番号の問い合わせる音声、または、前記センター５０からのガイダンスを音声認識することによって、前記通話先の名称を検出する音声認識部２０を備えている。
【００９７】
上記の構成によれば、通話先の名称を音声認識によって検出することができるので、通話先電話番号と対応づけて記録することができる。
【００９８】
本実施形態の発信側電話機１０では、音声認識部２０によって音声認識された内容をユーザに問い合わせて確認する表示部４４および音声入出力部４０を備えている。
【００９９】
上記の構成によれば、音声認識を行った内容の正否についてユーザに、画面表示または音声案内によって問い合わせるので、音声認識の結果の正確さを確認した上で記録することができる。
【０１００】
本実施形態の発信側電話機１０では、前記通話先の着信側電話機６０の電話番号と、当該通話先の名称とを対応付けて保存する電話帳データベースを編集する電話帳編集部２４を備え、電話帳編集部２４は、音声認識部２０の音声認識に基づいて記憶部３０の電話帳データベースに通話先電話番号を記録している。
【０１０１】
上記の構成によれば、電話帳データベースへの入力操作を音声認識の結果に基づいて行うことができるので、ユーザによる入力操作の手間を簡略化することができる。
【０１０２】
本実施形態の発信側電話機１０では、前記センター５０からのガイダンスを録音する通話状態検出部１６を備え、前記センター５０へ回線接続した際に録音を開始している。
【０１０３】
上記の構成によれば、前記センター５０へ回線接続した際に録音を開始するので、前記センター５０によるガイダンスの内容を必要とする際に、当該ガイダンスの内容を素早く参照することができる。
【０１０４】
また、音声認識部２０は、前記センター５０からのトーン信号、または、Ｖ２３信号を認識することによって、前記通話先の電話番号を検出してもよい。
【０１０５】
上記の構成によれば、トーン信号またはＶ２３信号を認識することで、接続先の電話番号を検出することができるので、センター５０から通知された電話番号を誤認識する可能性を低減することができる。
【０１０６】
また、音声認識部２０は、リングバックトーンを検出することによって前記仲介接続を検出してもよい。
【０１０７】
また、通話状態検出部１６は、極性反転を検出することによって前記仲介接続を検出してもよい。
【０１０８】
上記の構成によれば、リングバックトーンや、極性反転を検出することで、センター５０から通話先の電話番号に回線が接続されたことを正確に検出することができるので、仲介接続の誤認識を低減することができる。
【０１０９】
また、前記ユーザによる操作入力を受けつける操作部４２を備え、自動接続認識部１８は、前記センター５０に対する前記ユーザによる操作入力に基づいて前記仲介接続を検出してもよい。
【０１１０】
上記の構成によれば、ユーザの操作入力に基づいて仲介接続を検出するので、ユーザによる仲介接続の意思を発信側電話機１０側で正確に検出することができる。
【０１１１】
本実施形態の発信側電話機１０では、番号記録部２２は、前記仲介接続が検出された際に、過去に発呼した電話番号に再び発呼を行う際に利用するリダイアルバッファ３２に前記通話先の電話番号を記録している。
【０１１２】
上記の構成によれば、リダイアルバッファ３２に通話先の電話番号を記録するので、センター５０から通話先に通話が接続された場合でも、リダイアル操作を容易におこなうことができる。
【０１１３】
本実施形態の発信側電話機１０では、着信側電話機６０の前記通話先電話番号を記録する際に、発呼する際に電話番号の前に付加した番号であるプレフィックス番号を、前記通話先電話番号の前に付加して記録する番号記録部２２を備えている。
【０１１４】
上記の構成によれば、センター５０に接続する際にプレフィックス番号、例えば、“１８４”、“１８６”、“００ｘｘ”、およびその他のサービスを利用するための番号を電話番号の前に付加して記録するので、ユーザが所望する機能またはサービスを利用できる形式で電話番号を記録することができる。
【０１１５】
本実施形態の発信側電話機１０では、前記通話先電話番号を記録する際に、前記センター５０に問い合わせて接続したことを識別する識別子を付加して記録する番号記録部２２を備えている。
【０１１６】
上記の構成によれば、センター５０経由で接続した電話番号に識別子を付加するので、センター５０経由で接続したことをユーザが容易に識別できる。
【０１１７】
本実施形態の発信側電話機１０では、前記センター５０に問い合わせて接続した回数および前記センター５０を介して接続された通話先との接続時間を記憶部３０に記録する自動接続認識部１８を備えている。
【０１１８】
上記の構成によれば、センター５０経由で接続した回数および／または接続時間を記録しているので、センター５０の利用状況、例えば、サービスの使用料金などの概略をユーザが容易に把握することができる。
【０１１９】
なお、上述の説明では、発信側電話機１０が電話機の場合について説明したが、これに限るものではない。ファクシミリ、複合機、携帯電話機、通信端末、および、その他のモバイル端末などであってもよい。
【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２１】
最後に、発信側電話機１０の各ブロック、特に通話状態検出部１６、自動接続認識部１８、および、番号記録部２２は、ハードウェアロジックによって構成してもよいし、次のようにＣＰＵを用いてソフトウェアによって実現してもよい。
【０１２２】
すなわち、発信側電話機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０１２３】
そして、本発明の目的は、上述した機能を実現するソフトウェアである発信側電話機１０の制御プログラムのプログラムコード（実行形式プログラム、中間コードプログラム、ソースプログラム）をコンピュータで読み取り可能に記録した記録媒体を、上記発信側電話機１０に供給し、そのコンピュータ（またはＣＰＵやＭＰＵ）が記録媒体に記録されているプログラムコードを読み出し実行することによっても、達成可能である。
【０１２４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２５】
また、発信側電話機１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【０１２６】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２７】
本発明によれば、電話番号案内サービスを利用した際、問い合わせた電話番号に電話番号案内サービスから通話が直接接続された場合であっても、問い合わせた電話番号をリダイアルバッファに記録することができるので、電話機、ファクシミリ、デジタル複合機、携帯電話機、通信端末、および、モバイル端末などの電話機能を有する機器に広く好適に利用することができる。
【図面の簡単な説明】
【０１２８】
【図１】本発明の実施形態を示すものであり、発信側電話機、サービスセンター、および着信側電話機を備えた通信システムの要部構成を示すブロック図である。
【図２】上記通信システムで行われる、電話番号案内サービスを利用した接続処理の流れを示す模式図である。
【図３】上記発信側電話機において、電話番号を記録する一連の処理の流れを示すフローチャートである。
【図４】上記通信システムにおける、発信側電話機およびサービスセンターの間でやり取りされるデータの一例を示す概略図である。
【符号の説明】
【０１２９】
１    通信システム
１０    発信側電話機（通信装置）
１２    発呼部（発呼手段）
１４    通信部（通信手段）
１６    通話状態検出部（仲介接続検出手段、通話先番号検出手段、録音手段）
１８    自動接続認識部（仲介接続検出手段、仲介接続情報記録手段）
２０    音声認識部（通話先番号検出手段、通話先名称検出手段、認識内容確認手段）
２２    番号記録部（通話先番号記録手段、付加番号記録手段、接続方法付加手段）
２４    電話帳編集部（電話帳編集手段）
３０    記憶部
３２    リダイアルバッファ
３４    電話帳記憶部
４０    音声入出力部（認識内容確認手段）
４２    操作部（操作手段）
４４    表示部（認識内容確認手段）
５０    サービスセンター
５２    番号案内部
５４    番号接続部
６０    着信側電話機
６２    通信部
【図１】
2009152870.tif 000003
【図２】
2009152870.tif 000004
【図３】
2009152870.tif 000005
【図４】
2009152870.tif 000006